(57)【特許請求の範囲】
【請求項１】
複数の発光素子を備えた基板に装着されて該発光素子からの光を所定方向に導くための表示器ユニットであって、該表示器ユニットは各発光素子に対応して設けられた複数の導光体と該複数の導光体を保持する保持カバーとを有し、
前記導光体は、透光性の複数の柱状体を相互に平行に並ぶように該並び方向に沿って延びた連結部で互いに連結したものを樹脂で一体成形してなり、各柱状体の下端が該柱状体の軸線に対して傾斜した反射面とされ、該反射面に対向する側の側面に前記基板から遠ざかる向きに出射された前記発光素子の光が入射する入射面が形成されると共に、該入射面から離間した前記側面に前記連結部が形成され、該入射面から前記柱状体に入射した光が該反射面で反射されて柱状体の上端の出射面から出射されるように構成されており、
前記保持カバーは、前記基板への取り付けのための係止部と、隣り合う前記導光体の間に位置する遮光性壁部を備え、前記導光体における前記反射面に対向する側の側面が前記基板に向くようにして各導光体を保持し、前記基板４０に取付けた状態において保持カバーの前壁が前記基板に当接し、前記前壁の下側に前記柱状体の入射面に対応して窓が形成され、前記前壁の上縁に前記連結部が当接して支持されることを特徴とする表示器ユニット。
【請求項２】
前記保持カバーは、前記前壁に加えて左右の側壁と後壁を有する箱形をなし、これら前後左右の壁で導光体５２を囲む保持部を形成し、該保持部の内側に前記遮光性壁部が形成され、前記左右の側壁、後壁及び遮光性壁部によって前記柱状体の上端の出射面を取り囲むことを特徴とする請求項１の表示器ユニット。
【請求項３】
前記窓は、前記複数の発光素子のそれぞれ対応する独立した窓であることを特徴とする請求項１又は２の表示器ユニット。
【発明の詳細な説明】
【技術分野】
【０００１】
本発明は、表示器ユニットに関する。
【背景技術】
【０００２】
電子楽器や音響設備のパラメータ設定を行なうためのミキサは、摘み部等の操作子をスライドすることにより、スライド位置に応じて音量、音質、エフェクト等の制御パラメータの設定を行なうフェーダを複数備えている。ミキサの操作パネル面には、各操作子のスライド域に隣接してＬＥＤ等の発光素子を並べた光表示部を設け、パラメータの設定状態を光で表示するものがある。フェーダには、パラメータの設定及び送信のための電子部品や回路が実装された基板が備えられ、基板には発光素子と発光制御部も接続される。
【０００３】
従来のフェーダとして、例えば、特許文献１に記載されたものでは、摘み部に結合された可動子を箱状本体の内部に納め、本体の側壁内面に基板を取り付けている。また、特許文献２に記載のスライド操作装置では、箱状本体内を摺動するゴンドラに基板を取り付けている。
【０００４】
ミキサに光表示機能を持たせるための装置として、例えば、特許文献３に記載の装置がある。この装置では、ミキサの操作パネルの下にフェーダと並べて基板が取り付けられ、基板に個々に取り付けられたＬＥＤの先端部からパネルの孔部を通して光を放出する構造となっている。
【特許文献１】特開２００２−８９０７号公報（段落００１３）
【特許文献２】特開２００７−１３４６４６号公報（段落００４２）
【特許文献３】特許第３７１６８２２号公報（段落００１４，００２２）
【発明の開示】
【発明が解決しようとする課題】
【０００５】
ミキサでは、コンパクト化を図るためフェーダをできるだけ接近させて並べることが求められる。その結果、光表示部の取付スペースが小さく、製造時の取付け作業に困難を伴ったり多くの手間を要したりしていた。特許文献１及び２の装置では、光表示部の取付までは考慮されておらず、特許文献３の装置では、フェーダに並設される基板に個々にＬＥＤが発光部として取り付けられるので、ＬＥＤの取付に時間と手間を要していた。
【０００６】
印刷配線基板は、それ自体コンパクトであることを特徴としているので、印刷配線基板を用いた装置は、多くの場合、コンパクト化の要請の下にある。この状況は、印刷配線基板に発光手段を担持させた表示装置においても同様である。したがって、上記の問題は、発光手段を印刷配線基板に担持させた表示装置において共通の問題である。
【０００７】
そこで、本発明は、このような従来技術の問題を解決し、光表示部の取付作業を簡便に行うことができる表示装置のための表示器ユニットを提供することを目的とする。
【課題を解決するための手段】
【０００８】
（１）本発明は、前記目的を達成するため、複数の発光素子を備えた基板に装着されて該発光素子からの光を所定方向に導くための表示器ユニットであって、該表示器ユニットは各発光素子に対応して設けられた複数の導光体と該複数の導光体を保持する保持カバーとを有し、前記導光体は、透光性の複数の柱状体を相互に平行に並ぶように該並び方向に沿って延びた連結部で互いに連結したものを樹脂で一体成形してなり、各柱状体の下端が該柱状体の軸線に対して傾斜した反射面とされ、該反射面に対向する側の側面に前記基板から遠ざかる向きに出射された前記発光素子の光が入射する入射面が形成されると共に、該入射面から離間した前記側面に前記連結部が形成され、該入射面から前記柱状体に入射した光が該反射面で反射されて柱状体の上端の出射面から出射されるように構成されており、前記保持カバーは、前記基板への取り付けのための係止部と、隣り合う前記導光体の間に位置する遮光性壁部を備え、前記導光体における前記反射面に対向する側の側面が前記基板に向くようにして各導光体を保持し、前記基板４０に取付けた状態において保持カバーの前壁が前記基板に当接し、前記前壁の下側に前記柱状体の入射面に対応して窓が形成され、前記前壁の上縁に前記連結部が当接して支持されることを特徴とする表示器ユニットを提供するものである。
【発明の効果】
【００２０】
上記のように、本発明によれば、導光体の連結部を保持カバーの前壁上端に当接支持することで保持カバーに対する導光体の正確な位置決めが可能な表示器ユニットを提供することができる。
【発明を実施するための最良の形態】
【００２１】
以下、本発明の実施形態について添付図面を参照しつつ説明する。図面中の同一又は同種の部分については、同じ番号を付して説明を省略することがある。
【００２２】
図１は本発明の一実施形態に係る表示器ユニットを備えたスライド制御盤の平面図、図２はその側面図である。このスライド制御盤１は、光表示付き操作装置であるミキサとして用いられるものであり、図示のように、スライド制御盤１のパネル２には、様々な音響制御のための操作部３、モニタ４等が設けられると共に、多数のスリット５が配列されている。このスライド制御盤には、各スリット５に対応してスライド操作装置１０が装着され、摘み部２４がスリット５に沿ってスライドし得るように設けられている。また、この実施形態においては、摘み部２４の位置に対応して発光表示を行なう表示器５０が各スリット５に沿って設けられている。
【００２３】
図３、図４及び図５は、１つのスライド操作装置１０を取り出して示す斜視図、平面図及び正面図である。このスライド操作装置１０は、全体がフラットな立体形状をしたパラメータ設定部本体２０と、パラメータを信号化して送出するための印刷回路を有した基板４０とを備えており、図３はこれら２つの部分を分解した状態、図４及び図５は組み立状態を示している。本体２０は、細長い上部部材２１と、該上部部材２１の長辺から下方へ延びる下部部材２２とを有した躯体２５を備えている。上部部材２１は、躯体２５の上壁を構成する支持壁２１１と、該支持壁２１１の両側辺から上方へ延びる起立壁２１２とにより、横断面が角張ったＵ字状に構成されている。下部部材２２は板状であり、起立壁２１２と共に躯体２５の側面に位置した側壁を構成している。この実施形態では、躯体２５は、図示のように、側面の面積が上面の面積に対して大きく構成されている。
【００２４】
支持壁２１１には、その長手方向に沿って形成された細長い開口部２１３が形成され、該開口部２１３から連結ロッド２３が上方へ突出している。連結ロッド２３の下部は、躯体２５内で摺動可能に支持されたゴンドラ（図示せず）に結合されている。連結ロッド２３の上端部には、摘み部２４が固定されており、摘み部２４及び連結ロッド２３は、ゴンドラを手動操作するための操作子を構成している。躯体２５の長手方向の一端側には電動モータ２８が取り付けられ、その駆動軸は上方へ延び、上端部にプーリ２６ａが固定されている。支持壁２１１のすぐ上には、電動モータ２８と反対側の端部にプーリ２６ｂが回転自在に支持され、これらのプーリ２６ａ，２６ｂに歯付きベルト２７が巻回されており、連結ロッド２３は結合片２３１を介して歯付きベルト２７に結合されている。したがって、摘み部２４は、ゴンドラを伴って開口部２１３に沿ってスライドさせることができ、そのスライド位置は躯体２５内の位置センサによって検知される。位置センサに接続された信号線、及び電動モータ２８の駆動制御のための信号線は、フラットケーブル２９として下部部材２２から躯体２５外へ取り出され、該フラットケーブル２９は基板４０上に設けられた端子４３に接続される。したがって、摘み部２４の位置情報は、位置センサからフラットケーブル２９を通じて基板の制御部に伝えられ、制御部での駆動信号はフラットケーブル２９を通じて電動モータ２８に伝えられる。これにより、摘み部２４は、手動及びモータ駆動のいずれかにてスライドさせることができ、そのスライド位置の情報が基板４０の制御部に伝達される。制御部は、スライド位置に応じて音量、音質、エフェクト等の制御パラメータを出力し、その出力は、電子楽器や音響設備の制御装置に送られ、それにしたがった音響制御が行なわれる。
【００２５】
本体２０の躯体２５には、板金の曲げ加工又は樹脂の一体成形により下端部から側壁の外面側へ突設するように設けた第１保持部３１と、上端部から側壁の外面側へ突設した第２保持部３２とが設けられている。この実施形態では、第１保持部３１は、躯体２５の長手方向中央部において水平に突出した係止板３１１に細長い係止孔３１２が形成されたものであり、第２保持部３２は起立壁２１２の長手方向両端部に形成された雌ねじ付き孔３２１と、これに螺合する止めねじ３２２とで構成されている。
【００２６】
基板４０には、これらの保持部に対応した位置に第１係合部４１及び第２係合部４２が設けられている。この実施形態では、基板４０は、平板状の支持プレート４５に印刷回路を設け電子部品等を実装したものであり、支持プレート４５の下端部に第１係合部４１が設けられている。第１係合部４１は、支持プレート４５の下端における中央部に舌片４１１として形成されている。支持プレート４５における舌片４１１の両側に位置する部分は切欠き４１２が形成されることにより、舌片４１１は切欠き４１２の上端部より下方へ突出した形状とされている。第２係合部４２は、支持プレート４５の長手方向両端部における上部に形成された貫通孔４２１として形成されている。
【００２７】
したがって、図３に示した状態にある本体２０及び基板４０を図４及び図５の状態に結合するには、第１係合部４１の舌片４１１を第１保持部３１の係止孔３１１に挿入し、支持プレート４５を本体２０の側壁に近づけ、第２係合部４２の貫通孔４２１を第２保持部３２の雌ねじ付き孔３２１に合わせ、止めねじ３２２を支持プレート４５側から貫通孔４２１に通して雌ねじ付き孔３２１へ螺合し、締結すればよい。
【００２８】
支持プレート４５の一端側には配線用開口４５１が形成されている。したがって、本体２０及び基板４０を結合する際には、フラットケーブル２９を該配線用開口４５１に通し、端子４３に接続することができる。
【００２９】
基板４０には、さらに、操作子によるパラメータの設定状態を表示するための表示器５０が取り付けられている。これら基板４０及び表示器５０は、発光手段を印刷配線基板に担持させた表示装置１００を構成している。
【００３０】
図６は、表示装置１００を表示器５０の設置側から見た斜視図であり、図７は、複数のスライド操作装置１０をスライド制御盤１のパネル２に取り付けた状態を示す縦断側面図であり、図４のＡ−Ａ線に沿う断面を示す（図では３個のスライド操作装置が示されている）。図８は、表示器５０を中心にした図７の拡大図である。
【００３１】
この表示器５０は、支持プレート４５（前述の基板）に取り付けられプレート面から遠ざかる向きに光を出射する発光素子５１と、該発光素子出射された光を支持プレート４５に沿う方向（基板の広がり方向の内の上方向Ｙ１）に出射させる導光体５２と、該導光体を保持する保持カバー５３とを備えている。発光素子５１は、基板の設置面に直付けされるチップ上ＬＥＤであって、例えば、２×３×２ｍｍの直方体の表面を発光部（発光面）、裏面を端子部としたものとし、基板に対する加熱源を通過することにより基板上にハンダ付けされるものとすることができる。
【００３２】
導光体５２は、図９にも示すように、透光性の柱状体により形成され、該柱状体の下端が柱状体軸線Ｊ１に対して傾斜した反射面５２１とされ、該反射面に対向する側の側面が入射面５２２とされ、該入射面５２２を発光素子５１に臨ませるようにして支持プレート４５に取り付けられている。入射面５２２から導光体５２に入射した光は該反射面５２１での反射後に柱状体側面で全反射しつつ柱状体上端面を出射面５２３として出射するように構成されている。したがって、導光体５２は、入射面５２２から入射した発光素子５１の光を支持プレート４５に沿って支持プレート４５の延長側（Ｙ１方向）へ出射させる。この実施形態では、発光素子５１が、支持プレート４５の面に対して光軸Ｊ２が垂直となる方向に光を出射するので、導光体５２は反射面５２１により入射光の光路を９０度変える作用をなす。
【００３３】
導光体５２は、長手方向の縦向きにして相互に平行に並んで６個配設されており、該並び方向に沿って延びる連結部５２４に結合された状態に形成されている。この連結部５２４は樹脂による一体成形時のランナーとして形成されたものである。
【００３４】
保持カバー５３は、側壁５３５，前壁５３６，後壁５３７を有する箱形をなし、導光体５２を囲む保持部を形成しており、隣り合う導光体５２の間に位置する遮光性壁部５３１を備えている。遮光性壁部５３１は、一つの導光体に導かれる光が他の導光体へ漏れ出るのを防止する。前壁５３６には、６個の導光体５２に対応する位置に窓５３６ａが形成されており、支持プレート４５への取付状態において発光素子５１の発光部がこの窓５３６ａに対峙する。そして、導光体５２における発光素子５１に臨む面が入射面５２２となっている。また、前壁５３６の上端は、導光体５２の連結部５２４を図示の状態において下から支える位置に設けられている。６個からなる導光体５２（導光体アッセンブリ）と、前記カバー５３とは、樹脂成形法でいうところの二色成形法で一体成形され導光体ユニットを構成する。この成形法は、特許第３６０３９５２号により開示された技術であり、導光体ユニットは、この二色成形法によって成形することもでき、その場合は、導光体の導光機能（導光体の出射面を斜めから見ても発光強度が低下し難いという機能）が著しく向上する。
【００３５】
この実施形態では、保持カバー５３と６個の導光体５２が１つの表示器ユニット５５を構成しており、表示器ユニットの組立ては、連結部５２４で結合された導光体５２をまとめて持ち、保持カバー５３に保持させることができるので、作業が簡便である。
【００３６】
保持カバー５３は、下部に位置決め用の突起５３４及び取り付け用のフック５３２、上部に固定フック５３３を、係止部として備えており、支持プレート４５には、これらに対応した位置に位置決め用孔４５２、係止孔４５３及び固定孔４５４が形成されている。したがって、導光体５２を保持した保持カバー５３は、固定フック５３３を固定孔４５４に通して上部を固定し、突起５３４を位置決め用孔４５２、フック５３２を係止孔４５３に各々に位置合わせし、これらを各孔に挿入することにより、表示器ユニット５５の正確な位置決めと、支持プレート４５への固定を一度に行なうことができる（図３参照）。また、フック５３２を変形させて係止を解き、係止孔４５３から抜くようにすれば、表示器ユニット５５を支持プレート４５から取り外すことができる。
【００３７】
この実施形態では、図６に示されているように、保持カバー５３は、支持プレート４５の面から端子４３と同じ側へ突出している。基板４０には、上記部品の他、種々の部品が装着されている。この例では、端子４３ａ，４３ｂ，４３ｃ，４３ｄ，４３ｅ、電子部品４４ａ，４４ｂ，４４ｃ，４４ｄ，４４ｅ，４４ｆ等である。そして、支持プレート４５上の保持カバー５３及び他の部品は、その突出高さが端子（例えば、端子４３）の突出高さ以内とされている。したがって、表示装置１００は、全体の高さが支持プレート４５の厚さと端子の高さを合わせた寸法に抑えられている。したがって、スライド操作装置１０を接近して並べれば、相互の間隔を小さくすることができ、スライド制御盤１をコンパクト化することができる。
【００３８】
或いは、端子又は保持カバー５３の高さによっては、端子及び支持プレート４５上の他の部品の突出高さを保持カバー５３の突出高さ以内とすることもできる。この場合には、表示装置１００は、全体の高さが支持プレート４５の厚さと保持カバー５３の高さを合わせた寸法に抑えられ、スライド操作装置１０相互の間隔を小さくすることができ、スライド制御盤１をコンパクト化することができる。
【００３９】
スライド操作装置１０は、上部部材２１の起立壁２１２上端から水平に延びるブラケット２１４に螺合するねじ１１により、スライド制御盤１のパネル２に取り付けられる。パネル２には、導光体の出射面５２３に対応した位置に透光機能を有する透孔部２ａ（図８）が形成されており、導光体５２から出射される光を該透孔部から外部へ放出するようになっている。
【００４０】
基板４０は、スライド操作装置１０における摘み部２４の位置情報に基づき、表示器５０の発光素子５１を摘み部２４の位置に対応して発光させる。これは、典型的には、図１における下から摘み部２４までの範囲を棒グラフのように発光させるように行なわれるが、摘み部２４のある位置に最も近い単一又は複数の発光素子５１のみを発光させるようにするなど、他の発光形態をとることもできる。
【００４１】
本発明は、上記実施形態に限定されるものではなく、種々の変形が可能である。例えば、本体２０の躯体２５に設けられた第１保持部３１及び第２保持部３２と、基板４０に設けられた第１係合部４１及び第２係合部４２との凹凸係合は相互に逆に設けることもでき、相互の結合のための他の係合形態をとることも可能である。表示器５０は発光を伴う種々の表示形態とすることができ、また、必要性がない場合には省略することも可能である。
【図面の簡単な説明】
【００４２】
【図１】本発明の一実施形態に係る表示装置を備えたスライド制御盤の平面図である。
【図２】図１の側面図である。
【図３】上記表示装置を有するスライド操作装置を図１から取り出して示す斜視図である。
【図４】図３のスライド操作装置の平面図である。
【図５】図３のスライド操作装置の正面図である。
【図６】図３のスライド操作装置における表示装置の斜視図である。
【図７】３つのスライド操作装置をパネルに取り付けた状態を示す縦断側面図である。
【図８】図７の一部の拡大図であり、表示装置を中心に示す。
【図９】図８に示された表示装置の要部の斜視図である。
【符号の説明】
【００４３】
４０：基板、    １００：表示装置、    ５１：発光素子、    ５２：導光体、    ５２２：入射部、    ５３：保持カバー、    ４３：端子、    ５５：表示器ユニット、    ５３１：突起（係止部）、    ５３２：取り付け用フック（係止部）、    ５３３：固定フック（係止部）、    ５３５：側壁（保持部）、    ５３６：前壁（保持部）、    ５３７：後壁（保持部）、    ５２１：反射面、    ５３１：遮光性壁部、    ５２４：連結部、    ５１：発光素子
【図１】
0005170833.tif 000002
【図２】
0005170833.tif 000003
【図３】
0005170833.tif 000004
【図４】
0005170833.tif 000005
【図５】
0005170833.tif 000006
【図６】
0005170833.tif 000007
【図７】
0005170833.tif 000008
【図８】
0005170833.tif 000009
【図９】
0005170833.tif 000010